(57)【要約】    【課題】  遊技施設等において、肌の潤い感、加湿補助効果および視覚的な清涼感などを提供できるシステム。    【解決手段】  ミスト供給システム１は、ミスト発生装置２、ミスト発生装置２にて発生させたミストが流通するミスト経路３、およびミスト経路３内のミストを噴出させるための複数のミスト噴出端末４とを備えてなる。ミスト経路３は水平に対して角度θにてミスト発生装置２方向に傾斜しており、結露水を回収して再利用するための経路を兼ねる。【選択図】  図１
2009022614.tif 000002
【特許請求の範囲】
【請求項１】
複数の位置にてそれぞれミストを自動的にまたは間欠的に供給できるミスト供給システムであって、該システムは、ミスト発生装置、該ミスト発生装置にて発生させたミストが流通するミスト経路、および該ミスト経路内のミストを噴出させるための複数のミスト噴出端末とを備えてなることを特徴とする、ミスト供給システム。
【請求項２】
前記ミスト経路は、ミストによる結露発生を防止ないし低減可能な程度に熱伝導率が低い材料により形成されていることを特徴とする、請求項１に記載のミスト供給システム。
【請求項３】
前記ミスト経路内または前記ミスト噴出端末における結露により発生する液体を前記ミスト発生装置にて再利用可能なように戻すための液体戻し経路があることを特徴とする、請求項１または２に記載のミスト供給システム。
【請求項４】
前記液体戻し経路は前記ミスト経路と共通であり、該ミスト経路を構成する導管は、ミストと液体が相互に逆方向に流通可能な程度の内径を有することを特徴とする、請求項３に記載のミスト供給システム。
【請求項５】
前記ミスト経路は、前記ミスト発生装置方向へ下る傾斜をもって設けられていることを特徴とする、請求項４に記載のミスト供給システム。
【請求項６】
前記ミスト噴出端末はその先端部が、外部に液滴が垂れ落ちない構造に形成されていることを特徴とする、請求項１ないし５のいずれかに記載のミスト供給システム。
【請求項７】
前記複数のミスト噴出端末は複数の導管が継がれて形成される前記ミスト経路中の継ぎ目箇所に設けられており、前記導管は、各ミスト噴出端末間の間隔を調整可能な構造であることを特徴とする、請求項１ないし６のいずれかに記載のミスト供給システム。
【請求項８】
ミスト発生量、前記ミスト経路中のミスト流通量またはミスト噴出量を、各々単独か、またはいずれか二つ以上の組合せで同時に可変可能な制御部を備えていることを特徴とする、請求項１ないし７のいずれかに記載のミスト供給システム。
【請求項９】
前記制御部は、前記ミスト発生装置に設けられていることを特徴とする、請求項８に記載のミスト供給システム。
【請求項１０】
前記制御部は、周囲環境温度もしくは湿度またはその双方を検知し、それに基づく制御を行うものであることを特徴とする、請求項８または９に記載のミスト供給システム。
【請求項１１】
前記ミスト噴出端末は、ミスト噴出量調整可能な機能を備えていることを特徴とする、請求項１ないし１０のいずれかに記載のミスト供給システム。
【請求項１２】
前記ミスト噴出端末は、ミスト噴出の有無を切り替えるスイッチを備えており、ミスト噴出状態にある該ミスト噴出端末を監視することによってミスト流通量またはミスト噴出量の制御を行うことを特徴とする、請求項８ないし１０のいずれかに記載のミスト供給システム。
【請求項１３】
前記ミストは水を微細粒化したものであり、前記ミスト発生装置は超音波振動を用いてミストを発生させる方式であることを特徴とする、請求項１ないし１２のいずれかに記載のミスト供給システム。
【請求項１４】
前記ミスト発生装置に係る貯液部には、雑菌繁殖防止手段または除菌手段が備えられていることを特徴とする、請求項１ないし１３のいずれかに記載のミスト供給システム。
【請求項１５】
前記雑菌繁殖防止手段は、銅イオン、銀イオンまたはその他の雑菌繁殖防止効果を有するイオンを前記貯液部に供給する手段であることを特徴とする、請求項１４に記載のミスト供給システム。
【請求項１６】
前記除菌手段は、前記貯液部に対して照射可能な殺菌灯またはオゾン発生装置のいずれかであることを特徴とする、請求項１４に記載のミスト供給システム。
【請求項１７】
前記ミスト発生装置に係る貯液部には、雑菌繁殖防止、除菌または水濾過の手段として、活性炭その他の吸着剤が備えられていることを特徴とする、請求項１ないし１３のいずれかに記載のミスト供給システム。
【請求項１８】
パチンコホールその他の遊技施設において用いられ、各遊技者毎または各遊技台毎にミストを自動的にまたは間欠的に供給するものであることを特徴とする、請求項１ないし１７のいずれかに記載のミスト供給システム。
【請求項１９】
前記ミスト発生装置はパチンコ台の島の外側に、前記ミスト経路は同島内に、また前記ミスト噴出端末は各遊戯台の近傍に配置されることを特徴とする、請求項１８に記載のミスト供給システム。
【発明の詳細な説明】
【技術分野】
【０００１】
本発明はミスト供給システムに係り、特に、遊技施設その他多数の人が集合、存在する空間において、ミストによる肌の潤い感、加湿補助効果および視覚的な清涼感などを提供することのできる、ミスト供給システムに関する。
【背景技術】
【０００２】
近年、パチンコ店等の遊技施設の空気環境は、空気清浄機や換気装置など各種空調設備の積極的導入により改善が進んでおり、パチンコ店を例に挙げれば、店舗全体はもとより最近では各遊技台毎、すなわち各個人空間毎に空気清浄機や脱臭機を設置して、個人毎に区別された空間いわばパーソナル空間の空気浄化を図っている例もある。このように、各種空調機器や空気清浄機の導入によって、遊技者により快適な個人空間を提供し、他店との差別化を図ることによる集客量増大に力を入れてきている。
【０００３】
また従来、遊技場内の空気環境改善を目的として、遊技場内に供給する酸素を製造する酸素製造装置と、遊技場内遊技機の近傍のタバコの喫煙を検出する炎センサと、炎センサが炎を検出したとき、検出した箇所の近傍に酸素を供給する環境装置も提案されている（特許文献１）。
【０００４】
【特許文献１】特開２００４−１２１５５０「遊技場の環境装置」
【発明の開示】
【発明が解決しようとする課題】
【０００５】
しかし、上記の如くある程度の空気の清浄化や酸素供給など機能的な面における高度化が可能になったとしても、たとえば雰囲気や空間の快適さの提供といった、さらなる高度化あるいは付加価値化をなし得るというわけではない。特にパチンコ店等の遊技施設においては、女性客を初めとした新たな顧客の獲得のために、より快適な空間の提供が求められている。
【０００６】
本発明が解決しようとする課題は、上記従来技術の状況を踏まえ、遊技施設その他多数の人が集合、存在する空間において、肌の潤い感、加湿補助効果および視覚的な清涼感などを提供することのできるシステムを提供することである。
【課題を解決するための手段】
【０００７】
本願発明者は上記課題について検討した結果、霧状化した液体、極微細な液体の粒であるミストを用いることにより上記課題が解決可能であることを見出し、本発明に至った。すなわち、上記課題を解決するための手段として本願で特許請求される発明、もしくは少なくとも開示される発明は、以下の通りである。
【０００８】
（１）  複数の位置にてそれぞれミストを自動的にまたは間欠的に供給できるミスト供給システムであって、該システムは、ミスト発生装置、該ミスト発生装置にて発生させたミストが流通するミスト経路、および該ミスト経路内のミストを噴出させるための複数のミスト噴出端末とを備えてなることを特徴とする、ミスト供給システム。
（２）  前記ミスト経路は、ミストによる結露発生を防止ないし低減可能な程度に熱伝導率が低い材料により形成されていることを特徴とする、（１）に記載のミスト供給システム。
（３）  前記ミスト経路内または前記ミスト噴出端末における結露により発生する液体を前記ミスト発生装置にて再利用可能なように戻すための液体戻し経路があることを特徴とする、（１）または（２）に記載のミスト供給システム。
（４）  前記液体戻し経路は前記ミスト経路と共通であり、該ミスト経路を構成する導管は、ミストと液体が相互に逆方向に流通可能な程度の内径を有することを特徴とする、（３）に記載のミスト供給システム。
【０００９】
（５）  前記ミスト経路は、前記ミスト発生装置方向へ下る傾斜をもって設けられていることを特徴とする、（４）に記載のミスト供給システム。
（６）  前記ミスト噴出端末はその先端部が、外部に液滴が垂れ落ちない構造に形成されていることを特徴とする、（１）ないし（５）のいずれかに記載のミスト供給システム。
（７）  前記複数のミスト噴出端末は複数の導管が継がれて形成される前記ミスト経路中の継ぎ目箇所に設けられており、前記導管は、各ミスト噴出端末間の間隔を調整可能な構造であることを特徴とする、（１）ないし（６）のいずれかに記載のミスト供給システム。
【００１０】
（８）  ミスト発生量、前記ミスト経路中のミスト流通量またはミスト噴出量を、各々単独か、またはいずれか二つ以上の組合せで同時に可変可能な制御部を備えていることを特徴とする、（１）ないし（７）のいずれかに記載のミスト供給システム。
（９）  前記制御部は、前記ミスト発生装置に設けられていることを特徴とする、（８）に記載のミスト供給システム。
（１０）  前記制御部は、周囲環境温度もしくは湿度またはその双方を検知し、それに基づく制御を行うものであることを特徴とする、（８）または（９）に記載のミスト供給システム。
（１１）  前記ミスト噴出端末は、ミスト噴出量調整可能な機能を備えていることを特徴とする、（１）ないし（１０）のいずれかに記載のミスト供給システム。
（１２）  前記ミスト噴出端末は、ミスト噴出の有無を切り替えるスイッチを備えており、ミスト噴出状態にある該ミスト噴出端末を監視することによってミスト流通量またはミスト噴出量の制御を行うことを特徴とする、（８）ないし（１０）のいずれかに記載のミスト供給システム。
【００１１】
（１３）  前記ミストは水を微細粒化したものであり、前記ミスト発生装置は超音波振動を用いてミストを発生させる方式であることを特徴とする、（１）ないし（１２）のいずれかに記載のミスト供給システム。
（１４）  前記ミスト発生装置に係る貯液部には、雑菌繁殖防止手段または除菌手段が備えられていることを特徴とする、（１）ないし（１３）のいずれかに記載のミスト供給システム。
（１５）  前記雑菌繁殖防止手段は、銅イオン、銀イオンまたはその他の雑菌繁殖防止効果を有するイオンを前記貯液部に供給する手段であることを特徴とする、（１４）に記載のミスト供給システム。
（１６）  前記除菌手段は、前記貯液部に対して照射可能な殺菌灯またはオゾン発生装置のいずれかであることを特徴とする、（１４）に記載のミスト供給システム。
（１７）  前記ミスト発生装置に係る貯液部には、雑菌繁殖防止、除菌または水濾過の手段として、活性炭その他の吸着剤が備えられていることを特徴とする、（１）ないし（１３）のいずれかに記載のミスト供給システム。
（１８）  パチンコホールその他の遊技施設において用いられ、各遊技者毎または各遊技台毎にミストを自動的にまたは間欠的に供給するものであることを特徴とする、（１）ないし（１７）のいずれかに記載のミスト供給システム。
（１９）  前記ミスト発生装置はパチンコ台の島の外側に、前記ミスト経路は同島内に、また前記ミスト噴出端末は各遊戯台の近傍に配置されることを特徴とする、（１８）に記載のミスト供給システム。
【発明の効果】
【００１２】
本発明のミスト供給システムは上述の様に構成されるため、これによれば、遊技施設その他多数の人が集合、存在する空間において、肌の潤い感、加湿補助効果および視覚的な清涼感などを提供することができる。それによって、雰囲気や空間の快適さを提供することができ、特にパチンコ店等の遊技施設においては、女性客を初めとした新たな顧客の獲得のための差別化策とすることができる。
【００１３】
つまり本発明のミスト供給システムによれば、ミストにより肌の保水量を保つ潤い肌の提供、ミストによる加湿補助効果および視覚効果による清涼感の提供、また附帯効果として、負イオンの提供も可能である。特にミストでの潤い環境の提供は、パチンコホールなどでは現在最も強化したい女性の集客に大きく寄与することが充分に期待できるものである。また、ミスト噴霧による脱臭、集塵効果、さらに除菌効果も期待できる。風邪、インフルエンザ等のウイルスは湿度に弱いからである。
【００１４】
また、本発明のミスト供給システムは、基本的にはミスト発生本体部とミスト導入管およびミスト発生端末部という簡易、明確な構成からなるシステムであり、パチンコホールを初めとした遊技施設、あるいはその他の空間に適用する場合でも、導入に際して大掛かりな敷設工事を必要としない。これは、新規店か改装店かに関わらない。したがって導入容易なシステムであるとともに、空気清浄機能や酸素供給機能などを融合させたり、拡張することが容易である。
【００１５】
さらに、本発明が超音波発生方式を用いる場合は特に、ミスト発生方式として構造が簡易であり、かつ安全性、経済性の点でも有利である。また、ミスト発生源として水を用いる場合は、一般の水道水で充分にミスト効果が得られ、経済性がさらによい。
【発明を実施するための最良の形態】
【００１６】
以下、本発明を図面により詳細に説明する。
図１は、本発明のミスト供給システムの基本構成を示す説明図である。図示するように本ミスト供給システム１は、ミスト発生装置２、ミスト発生装置２にて発生させたミストが流通するミスト経路３、およびミスト経路３内のミストを噴出させるための複数のミスト噴出端末４とを備えてなることを、基本構成とするシステムである。
【００１７】
かかる構成により本システム１では、ミスト発生装置２にてミストが生成され、これがミスト経路３中に送り込まれてその中を流れ、最終的に複数のミスト噴出端末４においてそれぞれ、ミストの噴出がなされる。したがって、本システム１をパチンコホールなどの遊技施設に適用した場合は、複数の遊技者または遊技台毎に、ミストを、自動または間欠で供給することができる。後述する制御手段をさらに備えることにより、複数の位置にてそれぞれ行うミストの自動的なまたは間欠的な供給を、より高度、容易、効率的なものとすることができる。
【００１８】
また本システム１では、ミスト発生装置２、ミスト経路３、およびミスト噴出端末４は、それぞれ別個独立した要素であり、可逆的に分割・組み立て可能な構成であるため、店舗工事工程に合せて作業効率よくシステム構築を行うことができる。
【００１９】
図において、本システム１のミスト経路３は、ミストによる結露発生を防止ないし低減可能な程度に熱伝導率が低い材料により形成するものとすることができる。たとえば樹脂製、塩化ビニール製などは好適である。特に後者の使用は、コスト低減効果も高い。かかる構成により、結露発生が防止ないし低減され、ミストをより多く供給可能な状態に維持することができる。
【００２０】
図において、本システム１は、ミスト経路３内、またはミスト噴出端末４における結露により発生する液体を、ミスト発生装置２にて再利用可能なように戻すための液体戻し経路が形成されている構造とする。液体戻し経路はこれを別個設けるのではなく、ミスト経路３と共通のものとする。そのために、ミスト経路３を構成する導管は、ミストと液体が相互に逆方向に流通可能な程度の内径を有するものであることが望ましい。たとえば、内径３０ｍｍであれば充分な効果を得ることができる。
【００２１】
そして図示するように、ミスト経路３は、水平方向に対し角度θをもって、ミスト発生装置２の方向へ下る傾斜が形成されて設けられる。かかる構成とすることにより、上記結露により発生する液体を簡易な構造によって容易に、ミスト発生装置２方向へと戻すことができる。角度θは、本システム１におけるミスト供給および結露液体の戻しに支障のない限り、適宜の角度とすることができるが、後述する実施例に示すように、さほど大きな角度を要するものではない。
【００２２】
つまりかかる構成により、避けることのできないミスト経路３の配管内結露やミスト噴出端末４における結露を逆に有効利用可能とするものであり、ミスト発生装置２に戻して循環再利用できるため、システム１全体の使用水量を大幅に低減することが可能となる。
【００２３】
図２は、本発明ミスト供給システムのミスト発生装置の構成例を示す説明図である。図示するように本例では、ミスト発生装置１２として、超音波振動を用いてミストを発生させる方式を好適に採用することができる。図の例で説明すれば、ミスト源の液体を収容する貯液用の筐体１２１に超音波発生素子１２２を設け、貯められた液体に対して該素子１２２による超音波振動を与えることによって、液体による三角錐状の柱状状態が形成され、同時にその先端部分の液体が超音波のエネルギーにより微細粒化、つまりミスト化する。発生したミストは、送風ファン１２３により排出口１２４を通りミスト経路へと送り込まれる。
【００２４】
図の例のように、ミスト発生源として水を用いることにより、上述の通り経済性を高めることができる。また、超音波振動方式によれば、ヒーターによる水蒸気発生方式のように高消費電力や熱発生に対する対策すなわち安全性の問題が発生しない。また、タービンによる水破砕方式のように、装置の大型化や耐久性の問題も発生しない。
【００２５】
なお図では、上述した配管内等の結露から生じた水を回収して利用する構成も示している。つまり、ミスト経路からの水を回収口１２５、回収水濾過器１２６を通して筐体１２１内（超音波水槽、超音波液槽）に回収し、再利用する構成である。図中に示すように超音波水槽１２１中にはたとえばフロートを利用した貯水量検出手段１２７を設け、回収された水も含めて貯水量を検知、監視し、吸水用タンクからの給水を制御する構成とすることもできる。
【００２６】
図３は、本発明ミスト供給システムのミスト噴出端末の構成例を示す説明図である。図示するようにミスト噴出端末２４は、複数の導管２５が継がれて形成されるミスト経路中の継ぎ目箇所に設ける構成とすることができる。あるいはまたミスト噴出端末２４は、ミスト経路中の継ぎ目箇所から連設された構成としてもよい（図示せず）。いずれにしても導管２５は、各ミスト噴出端末２４間の間隔を調整可能な構造とすることができる。
【００２７】
具体的にはたとえば、図３に示すように、導管２５とミスト噴出端末２４との間の接続に、導管２５との接続の際の固定位置を軸方向に調節可能な配管ジョイントネジ２６の如き構造を用いることによればよい。なお、導管とミスト噴出端末とが分岐配管を介して接続される構造の場合も同様に、導管と分岐配管との間の接続に、導管との接続の際の固定位置を軸方向に調節可能な配管ジョイントネジの如き構造を用いることによればよい。
【００２８】
かかる構成により、たとえば本システムをパチンコホール等の遊技施設において用いる場合には、遊技台間の間隔が店舗毎に、あるいは設置機器毎に違っても、ミスト噴出端末間間隔を最適な位置に配置調整することができる。
【００２９】
また、本ミスト供給システムのミスト噴出端末２４の先端部２７（噴射ノズル）は、外部に液滴が垂れ落ちない構造に形成されることが望ましい。特にパチンコホール等の遊技施設において遊技機器近傍にこれを設ける場合、機器への水垂れを有効に防止して、機器故障の原因となることを防ぐためである。
【００３０】
本システムには、前記ミスト発生装置もしくは適宜の位置に制御部を設けて、ミスト発生量、ミスト経路中のミスト流通量またはミスト噴出量を、各々単独かまたは同時に制御可能なものとすることができる。たとえば、周囲環境温度もしくは湿度またはその双方を検知し、それに基づく制御を行うようにすれば、より快適な雰囲気を感度よく提供することができる。
【００３１】
たとえば簡便には、冬モード、夏モードの設定をしておき、冬季間におけるような低温・低湿度を検知した場合は、ミスト噴出量や発生量を多くする「冬モード」での運転、夏季間におけるような高温・多湿を検知した場合は、ミスト噴出量や発生量を少なくする「夏モード」での運転、というような制御でもよい。
【００３２】
またミスト噴出端末に、ミスト噴出量調整可能な機能を備えてもよい。簡便にはミスト噴出のＯＮ／ＯＦＦを切り替えるスイッチを備え、各ミスト噴出端末のうちＯＮとなっているものの数によって、ミスト発生量やミスト噴出量の制御を行うシステムとすることもできる。
【００３３】
制御部による制御としてはその他、ミスト源の液体の消費量と発生・噴出させるミストの視覚効果とのバランスが最適になるように、周囲環境（温度、湿度）によりミスト発生量、流通量、噴出量を調整する制御としてもよい。
【００３４】
また、本発明ミスト供給システムのミスト発生装置に係る貯液部（超音波液槽、液体補給用タンクなど）には、適宜の雑菌繁殖防止手段または除菌手段を備えた構成とすることが望ましい。これは、たとえば水をミスト源として用いる場合は特に、貯水部（超音波水槽、水補給タンクなど）における雑菌繁殖を有効に防止することが、原料水の交換や注ぎ足しを不要ないしは軽減し、原料水の節約を図ることができるからである。
【００３５】
具体的にはたとえば、雑菌繁殖防止手段としては銅イオン、銀イオンまたはその他の雑菌繁殖防止効果を有するイオンを用いるか、殺菌灯もしくはオゾン発生装置を設置するか、あるいはまた、水濾過手段も兼ねて活性炭その他の吸着剤を用いてもよい。いずれにしても、水交換等の作業の利便性からみて、少なくとも約１週間は水の交換あるいは注ぎ足しが不要な程度に充分に、雑菌繁殖防止手段等を講じることが、本ミスト供給システムとしては望ましい。
【実施例】
【００３６】
図４は、パチンコ設備に本発明ミスト供給システムを適用した実施例を示す斜視説明図である。また、
図５は、図４の正面視説明図である。これらに示すように本システム４１は、ミスト発生装置４２はパチンコ台の島の外側に、ミスト経路４３は同島の平面内に、またミスト噴出端末４４は各遊戯台の近傍に配置した構成とすることができる。また、各遊技台の近傍、上方からミストを噴出する各ミスト噴出端末４４のミストのＯＮ／ＯＦＦを切り替えるためのスイッチ４５は、各遊技台のごく近傍に設けられる。
【００３７】
かかる構成とすることによって、水等ミスト源液体の交換・補給や、ミスト経路４３の構造を初めとしたシステム全体のメンテナンスを容易なものとすることができる。各ミスト噴出端末４４間の間隔は調整可能に構成できることは、上述の通りである。
【００３８】
図６は、パチンコ設備に本発明ミスト供給システムを適用した別の実施例を示す斜視説明図である。また、
図７は、図６の正面視説明図である。これらに示すように本システム６１は、ミスト発生装置６２はパチンコ台の島の外側に、ミスト経路６３は同島の立体的範囲内に、またミスト噴出端末６４は各遊戯台のごく近傍または遊技台自体に配置した構成とすることができる。
【００３９】
かかる構成とすることによっても、水等ミスト源液体の交換・補給や、ミスト経路６３の構造を初めとしたシステム全体のメンテナンスを容易なものとすることができる。各ミスト噴出端末６４間の間隔は調整可能に構成できることも、上述の通りである。
【産業上の利用可能性】
【００４０】
以上説明した本発明のミスト供給システムによれば、遊技施設その他多数の人が集合、存在する空間において、ミストによる肌の潤い感、加湿補助効果および視覚的な清涼感などを有効に提供することができ、イメージ、実質的な機能の両面で、雰囲気や空間の快適さ向上に大いに役立つ。したがって、遊技施設を初めとして関連産業分野において利用価値が高い発明である。
【図面の簡単な説明】
【００４１】
【図１】本発明のミスト供給システムの基本構成を示す説明図である。
【図２】本発明ミスト供給システムのミスト発生装置の構成例を示す説明図である。
【図３】本発明ミスト供給システムのミスト噴出端末の構成例を示す説明図である。
【図４】パチンコ設備に本発明ミスト供給システムを適用した実施例を示す斜視説明図である。
【図５】図４の正面視説明図である。
【図６】パチンコ設備に本発明ミスト供給システムを適用した別の実施例を示す斜視説明図である。
【図７】図６の正面視説明図である。
【符号の説明】
【００４２】
１…ミスト供給システム
２…ミスト発生装置
３…ミスト経路
４…ミスト噴出端末
１２…ミスト発生装置
１２１…筐体（超音波水槽、超音波液槽）
１２２…超音波発生素子
１２３…送風ファン
１２４…排出口
１２５…回収口
１２６…回収水濾過器
１２７…貯水量検出手段
１２８…水補給ポンプ
２４…ミスト噴出端末
２５…導管
２６…配管ジョイントネジ
２７…噴射ノズル
θ…ミスト経路の傾斜角度
４１…ミスト供給システム
４２…ミスト発生装置、  ４３…ミスト経路、  ４４…ミスト噴出端末、  ４５…切り替えスイッチ、  ４８…給水管、  ４９…給水タンク
６１…ミスト供給システム
６２…ミスト発生装置、  ６３…ミスト経路、  ６３４…分岐配管、  ６４…ミスト噴出端末、  ６９…給水タンク
【図１】
2009022614.tif 000003
【図２】
2009022614.tif 000004
【図３】
2009022614.tif 000005
【図４】
2009022614.tif 000006
【図５】
2009022614.tif 000007
【図６】
2009022614.tif 000008
【図７】
2009022614.tif 000009